(57)【要約】【課題】ユーザの遠隔通信端末から使用可能であり、その遠隔通信端末に関連する情報に基づいて、着信メッセージについてユーザに通知する出力信号の特性を決定する方法を提供すること。【解決手段】特に例示の実施形態においては、テンポ、音量、ピッチ、リズムなどの楽曲の１つまたは複数の特性が、それに応じて、（例えば、より速くに対してより遅く、より大きくに対してよりソフトになど）値が変更される。通知画像または通知テキストの１つまたは複数の特性が、もし選択される場合には、それに応じて同様に変更される。【選択図】図３
2006020268.tif 000002
【特許請求の範囲】
【請求項１】
（ａ）第１の遠隔通信端末においてメッセージを受信する工程と、
（ｂ）少なくとも１つの呼出しログからの情報に基づいて楽曲についての特性値を決定する工程とを含み、
前記楽曲が、前記メッセージの到着について前記第１の遠隔通信端末のユーザに通知するためのものであり、
前記楽曲のメロディが、前記特性から独立している方法。
【請求項２】
前記特性が、音量およびテンポのうちの一方である、請求項１に記載の方法。
【請求項３】
前記特性が、ピッチおよび音色のうちの一方である、請求項１に記載の方法。
【請求項４】
前記特性を決定する前記工程は、前記メッセージの属性にも基づいている、請求項１に記載の方法。
【請求項５】
前記情報は、前記通信の発信者の身元を含む、請求項１に記載の方法。
【請求項６】
前記情報は、ある時間間隔中に前記メッセージの発信者が、前記第１の遠隔通信端末の前記ユーザに連絡を取ろうとした回数を含む、請求項１に記載の方法。
【請求項７】
前記情報は、前記メッセージの発信者からの以前の最近の通信の時刻を含む、請求項１に記載の方法。
【請求項８】
前記少なくとも１つの呼出しログが、前記第１の遠隔通信端末に関連する第１の呼出しログと、第２の遠隔通信端末に関連する第２の呼出しログとを含む、請求項１に記載の方法。
【請求項９】
（ａ）第１の遠隔通信端末においてメッセージを受信する工程と、
（ｂ）少なくとも１つの呼出しログからの情報に基づいて画像についての特性値を決定する工程とを含み、
前記画像が、前記メッセージの到着について前記遠隔通信端末のユーザに通知するためのものであり、
前記画像をユーザが認識できることが、前記特性から独立している方法。
【請求項１０】
前記特性が、明度およびコントラストのうちの一方である、請求項９に記載の方法。
【請求項１１】
前記特性が、サイズおよび解像度のうちの一方である、請求項９に記載の方法。
【請求項１２】
前記特性を決定する前記工程は、前記メッセージの属性にも基づいている、請求項９に記載の方法。
【請求項１３】
前記情報は、前記通信の発信者の身元を含む、請求項９に記載の方法。
【請求項１４】
前記情報は、ある時間間隔中に前記メッセージの発信者が、前記第１の遠隔通信端末の前記ユーザに連絡を取ろうとした回数を含む、請求項９に記載の方法。
【請求項１５】
前記情報は、前記メッセージの発信者からの以前の最近の通信の時刻を含む、請求項９に記載の方法。
【請求項１６】
前記少なくとも１つの呼出しログが、前記第１の遠隔通信端末に関連する第１の呼出しログと、第２の遠隔通信端末に関連する第２の呼出しログとを含む、請求項９に記載の方法。
【請求項１７】
（ａ）第１の遠隔通信端末においてメッセージを受信する工程と、
（ｂ）少なくとも１つの呼出しログからの情報に基づいてテキストについての特性値を決定する工程とを含み、
前記テキストが、前記メッセージの到着について前記遠隔通信端末のユーザに通知するためのものである方法。
【請求項１８】
前記特性が、フォント・タイプ、フォント・スタイル、フォント・サイズ、およびフォント・カラーのうちの１つである、請求項１７に記載の方法。
【請求項１９】
前記特性を決定する前記工程は、前記メッセージの属性にも基づいている、請求項１７に記載の方法。
【請求項２０】
前記情報は、前記通信の発信者の身元を含む、請求項１７に記載の方法。
【請求項２１】
前記情報は、ある時間間隔中に前記メッセージの発信者が、前記第１の遠隔通信端末の前記ユーザに連絡を取ろうとした回数を含む、請求項１７に記載の方法。
【請求項２２】
前記情報は、前記メッセージの発信者からの以前の最近の通信の時刻を含む、請求項１７に記載の方法。
【請求項２３】
前記少なくとも１つの呼出しログが、前記第１の遠隔通信端末に関連する第１の呼出しログと、第２の遠隔通信端末に関連する第２の呼出しログとを含む、請求項１７に記載の方法。
【発明の詳細な説明】
【技術分野】
【０００１】
本発明は、一般に遠隔通信装置に関し、詳細には着信メッセージの到着をユーザにどのようにして知らせるかをインテリジェントに決定する遠隔通信端末に関する。
【背景技術】
【０００２】
図１は、従来技術における遠隔通信端末１００（例えば、無線電話、有線電話、ＰＤＡ（ｐｅｒｓｏｎａｌ  ｄｉｇｉｔａｌ  ａｓｓｉｓｔａｎｔ個人用携帯型情報端末）など）を示している。遠隔通信端末１００は、他の遠隔通信端末を起源とし、ＰＳＴＮ（Ｐｕｂｌｉｃ  Ｓｗｉｔｃｈｅｄ  Ｔｅｌｅｐｈｏｎｅ  Ｎｅｔｗｏｒｋ公衆交換電話網）、無線セルラ・ネットワーク、無線ローカルエリア・ネットワークなどのネットワークを介したメッセージ（例えば、着信音声呼出し通知、電子メール・メッセージ、ＳＭＳ（Ｓｈｏｒｔ  Ｍｅｓｓａｇｅ  Ｓｅｒｖｉｃｅショート・メッセージ・サービス）メッセージ、ＭＭＳ（Ｍｕｌｔｉｍｅｄｉａ  Ｍｅｓｓａｇｅ  Ｓｅｒｖｉｃｅマルチメディア・メッセージ・サービス）メッセージ、ＩＭ（Ｉｎｓｔａｎｔ  Ｍｅｓｓａｇｉｎｇインスタント・メッセージング）メッセージなど）を受信することができる。
【０００３】
遠隔通信端末１００がメッセージを受信するとき、その遠隔通信端末は、スピーカ１１０を介して「呼出し音」（例えば、曲、一連のビープ音など）を鳴らすことによって、またディスプレイ１１１を介して視覚情報（例えば、テキスト、画像など）を表示することによって、メッセージの到着について（または、呼出しが行われている場合には関連する着信呼出しを）そのユーザに知らせる。遠隔通信端末１００は、すべての着信メッセージについて特定の呼出し音を、または発呼者のカテゴリに関連した呼出し音（例えば、取引先用の呼出し音、友人用の呼出し音、家族用の呼出し音など）を、あるいは個々の発呼者に関連した呼出し音を鳴らすこともある。同様に、遠隔通信端末１００は、テキスト・メッセージ（例えば、「着信呼出し」、「着信呼出し：ママ」、「着信呼出し：５５５−５５５−５５５５」など）、または画像（例えば、呼出し中の電話をアニメ化したアイコン、発呼者の写真など）、あるいはそれら両方を表示して着信メッセージがあることを示すこともある。
【０００４】
遠隔通信端末１００のユーザが着信呼出しの通知を無視する場合、この呼出しの記録は一般に、呼出し発信者は誰であるか、いつその呼出しを受信したかなどを示す呼出しログ中に記憶され、それによって、ユーザは、望むなら後ほどその発信者に連絡を取ることができるようになる。一般に、呼出しログは、そのユーザが応答する呼出し、およびそのユーザが発信する呼出しの記録も保持する。
【発明の開示】
【発明が解決しようとする課題】
【０００５】
本発明は、１つまたは複数のユーザの遠隔通信端末に関連した１つまたは複数の呼出しログからの情報に基づいて、遠隔通信端末ユーザに着信メッセージについて通知することを可能にするものである。
【課題を解決するための手段】
【０００６】
詳細には、例示の実施形態では、呼出しログの一部として記憶される情報に基づいて呼出し音で使用される音楽など楽曲の１つまたは複数の特性（例えば、テンポ、音量、ピッチ、リズムなど）の値が設定される。かかる呼出しログ情報の例には、（ｉ）発呼者（すなわち、発信者）がユーザに連絡を取ろうとした特定の時間間隔中の回数、（ｉｉ）その発信者からの最近の通信（例えば、電話呼出し、電子メール、インスタント・メッセージなど）の時刻などが含まれる。
【０００７】
例えば、メッセージが到着するときに、遠隔通信端末がビートルズの歌「Ｈｅｌｌｏ  Ｇｏｏｄｂｙ」を鳴らす場合には、以下のように、そのメッセージの属性に応じて様々な方法でこの歌を演奏することができる。
・同じ日の同じ発信者から送信された一連の各メッセージごとにテンポを速めて、
・所与の発信者から受信するその日の最初の電子メールについてはピアノ・バージョンとして、
・所与の発呼者からの呼出しを、その発呼者に折返し呼出しをしないまま少なくとも一度すでに見逃してしまったときには、音量を上げて、
・発呼者が少なくとも２時間以内に呼び出すべき重要な相手であるときには低いピッチではなくて高いピッチで、
・初めて特定の発呼者から呼出しを受ける際には、陽気なリズムで。
当業者には理解されるように、音量やテンポなどの特性値を修正することによって、この歌の基本的な個性は変化しない。換言すれば、この歌のメロディは、これらの特性からは独立しており、したがってこの歌は認識可能なままである。
【０００８】
例示の実施形態ではまた、１つまたは複数の呼出しログからの情報に基づいて、着信メッセージまたは着信呼出しについてユーザに通知するように表示されるテキストの特性値（例えば、フォント・サイズ、フォント・スタイル、カラーなど）および画像の特性値（例えば、明度、サイズ、コントラスト、解像度など）が設定される。例えば、ユーザ指定の判断基準（新しいクライアントからの最初の１０個のメッセージなど）によって決定されるような高い重要度をもつ着信メッセージでは、そのメッセージのテキスト通知を、太字フォントまたは赤色カラーで表示することができ、あるいはアニメ化した画像通知をさらに高速で再生することもできる。
【０００９】
本発明の一部実施形態では、ユーザに通知するために使用される出力信号の１つまたは複数の特性値は、着信メッセージの１つまたは複数の属性に基づいて設定される。着信メッセージの属性の例には、メッセージの発信者は誰であるか、メッセージ中に埋め込まれる優先度レベル、メッセージに関連する件名、メッセージの意味内容、メッセージが送信された元のロケーションなどが含まれる。
【００１０】
この例示の実施形態は、（ａ）第１の遠隔通信端末においてメッセージを受信する工程と、（ｂ）少なくとも１つの呼出しログからの情報に基づいて楽曲についての特性値を決定する工程とを含み、この楽曲は、そのメッセージの到着についてその第１の遠隔通信端末のユーザに通知するためのものであり、この楽曲のメロディは、その特性から独立しているものである。
【発明を実施するための最良の形態】
【００１１】
以下に示される用語には、この説明および添付の特許請求の範囲中で使用するための以下の定義が与えられる。
【００１２】
明細書および特許請求の範囲では、用語「楽曲（ｍｕｓｉｃａｌ  ｃｏｍｐｏｓｉｔｉｏｎ）」は、１曲の音楽、または音響効果（例えば、１つまたは複数のビープ音など）として定義される。
【００１３】
図２は、本発明の例示の実施形態による遠隔通信端末２００（すなわち「端末２００」）を示している。図２に示すように、端末２００は、スピーカ２１０およびディスプレイ２１１を備える。スピーカ２１０は、遠隔通信端末１００のスピーカ１１０と同様に、音響信号（例えば、呼出し音など）をよく知られている方法で生成することができる。ディスプレイ２１１は、遠隔通信端末１００のディスプレイ１１１と同様に、視覚信号（例えば、テキスト、画像など）をよく知られている方法で表示することができる。
【００１４】
図３は、本発明の例示の実施形態による端末２００の主要な構成要素のブロック図を示している。図３に示すように、端末２００は、図に示すように相互接続されたレシーバ３０１、プロセッサ３０２、メモリ３０３、トランスミッタ３０４、スピーカ２１０、およびディスプレイ２１１を備える。
【００１５】
レシーバ３０１は、他の遠隔通信端末から（例えば、ＰＳＴＮ［公衆交換電話網］を介し、ＣＤＭＡ［Ｃｏｄｅ  Ｄｉｖｉｓｉｏｎ  Ｍｕｌｔｉｐｌｅ  Ａｃｃｅｓｓ符号分割多重アクセス］基地局を介するなどして）送信された信号を受信し、これら信号中で符号化された情報をプロセッサ３０２によく知られている方法で送る。この開示を読んだ後には、レシーバ３０１をどのようにして作成し使用するべきかが、当業者には明らかになろう。
【００１６】
プロセッサ３０２は、メモリ３０３からデータを読み取りそれにデータを書き込み、よく知られている方法でスピーカ２１０およびディスプレイ２１１に信号を送り、以下および図５ないし図８に関して説明されるタスクを実行することができる汎用プロセッサである。本発明の一部の代替実施形態では、プロセッサ３０２は、専用プロセッサでもよい。どちらの場合にも、この開示を読んだ後には、プロセッサ３０２をどのようにして作成し使用すべきかが、当業者には明らかになろう。
【００１７】
メモリ３０３は、当技術分野において知られているように、データおよび実行可能な命令を記憶することができ、ＲＡＭ（ｒａｎｄｏｍ−ａｃｃｅｓｓ  ｍｅｍｏｒｙランダム・アクセス・メモリ）、フラッシュ・メモリ、ディスク・ドライブなどの任意の組合せとすることができる。この開示を読んだ後には、メモリ３０３をどのようにして作成し使用するべきかが、当業者には明らかになろう。
【００１８】
トランスミッタ３０４は、プロセッサ３０２から情報を受け取り、この情報を用いて符号化された信号を他の遠隔通信端末に（例えば、公衆交換電話網［ＰＳＴＮ］を介し、符号分割多重アクセス［ＣＤＭＡ］基地局を介するなどして）よく知られている方法で送信する。この開示を読んだ後には、トランスミッタ３０４をどのようにして作成し使用するべきかが、当業者には明らかになろう。
【００１９】
図４は、本発明の例示の実施形態による、呼出しログ４００中の例示の情報構成についての３つのテーブルを示している。呼出しログ４００は、少なくとも以下のサブセットを含む呼出しアクティビティの記録である。
ｉ．端末２００に対して行われ完了されるすべての呼出し（すなわち、「着信呼出し」）、
ｉｉ．端末２００を起源とするすべての呼出し（すなわち、「発信呼出し」）、
ｉｉｉ．端末２００に対して行われるが完了されないすべての呼出し（すなわち、「受信し損ねた呼出し」）。
【００２０】
着信ログ４０１は、着信呼出しの状況を含んでいる。各着信呼出しごとに、着信ログ４０１は、発呼者（ｃａｌｌｉｎｇ  ｐａｒｔｙ）としても知られている、その呼出しの発信者の（もし分かれば）身元、その発呼者の電話番号、その呼出しの時刻および日付、その呼出しの持続時間を含んでいる。発呼者とは、端末２００のユーザを呼び出す人のことである。
【００２１】
発信ログ４０２は、発信呼出しの状況を含んでいる。各発信呼出しごとに、発信ログ４０２は、被呼者（ｃａｌｌｅｄ  ｐａｒｔｙ）の身元、その被呼者の電話番号、その呼出しの時刻および日付、その呼出しの持続時間を含んでいる。被呼者とは、端末２００のユーザによって呼び出される人のことである。
【００２２】
失敗ログ４０３は、受信し損ねた呼出しの状況を含んでいる。受信し損ねた各呼出しごとに、失敗ログ４０３は、その発呼者の（もし分かれば）身元、その発呼者の電話番号、その呼出しの時刻および日付、（もし分かれば）その呼出しの扱い方を含んでいる。この呼出しの扱い方情報は、もし分かれば、その呼出しがボイス・メールを対象としたものであり、別の端末を対象としたものであり、あるいは別の方法で取り扱われたものであるかを示している。
【００２３】
図４に示すように、呼出しログ４００は、電話呼出しの記録を示すものである。しかし、本明細書を読んだ後には、メッセージ・アクティビティの記録を提供する呼出しログをどのようにして作成し使用するべきかが、当業者には明らかになろう。ここで、メッセージ・アクティビティの記録は、電話呼出しアクティビティの記録と一体化され、または分離される。かかるメッセージの例には、電子メール・メッセージ、ショート・メッセージ・サービス［ＳＭＳ］メッセージ、マルチメディア・メッセージ・サービス［ＭＭＳ］メッセージ、インスタント・メッセージング［ＩＭ］メッセージなどが含まれる。メッセージ・アクティビティの記録を提供する呼出しログは、「メッセージ・ログ」としても知られている。
【００２４】
呼出しログ４００は、本発明の例示の実施形態に従って端末２００に記憶される。一部の実施形態では、呼出しログ４００は、端末２００の外部に（例えば、サーバ、別の遠隔通信端末などに）記憶される。どのようにして呼出しログを端末２００に、または端末２００の外部に、あるいはその両方に記憶すべきかが、当業者には明らかになろう。
【００２５】
さらに、呼出しログ４００は、本発明の例示の実施形態による端末２００に関連する呼出し（例えば、着信呼出し、発信呼出し、受信し損ねた呼出し）を示している。一部の代替実施形態においては、呼出しログ４００は、集約された、個別の呼出しログを示し、ここでは各呼出しログは、端末２００のユーザにすべて関連した複数の端末のうちの異なる端末に関連するメッセージを示す。例えば、ユーザは常時、端末２００を含めていくつかの端末を使用していることもあり、着信メッセージについてどのように通知を得るべきかを決定するためにすべての呼出しログを考慮することを望んでいるはずである。集約された呼出しログからの情報を検索する目的で、どのようにして複数の端末からの個々の呼出しログを集約すべきかが、当業者には明らかになろう。
【００２６】
端末２００は、呼出しログ４００中のその情報を使用して詳細を導き出し、それを用いて端末２００は、出力信号の特性（例えば、呼出し音など）を決定し、この特性を使用してユーザに着信呼出しについて通知する。例えば、Ｓａｍ  Ｐｅｒｅｚが２００４年４月２２日の午後２時００分に呼び出すものとした場合には、（同じ日の午後１２時４４分における）Ｓａｍの最近の以前の通信から、１時間１６分が経過していることが容易に判断できる。別の例として、Ｌｉｚ  Ｂｒｏｗｎが２００４年４月２２日の午後１時３０分に呼び出すものとした場合には、彼女の最後の呼出しは、端末２００のユーザに到達するための午後１時００分以来、２度目の試みであることが容易に判断できる。本明細書を読んだ後には、どのようにして呼出しログ４００中の情報から他の詳細を導き出すべきかが、当業者には明らかになろう。
【００２７】
本明細書を読んだ後には、呼出しログ４００をどのようにして作成し使用するべきかが、当業者には明らかになろう。
【００２８】
図５は、本発明の例示の実施形態による、（例えば、着信呼出し通知、電子メール・メッセージなどの）メッセージを受信した直後の端末２００の動作のフローチャートを示すものである。図５に示すどのタスクが同時に、または図に示すものと異なる順序で実施することができるかが、当業者には明らかになろう。
【００２９】
タスク５１０では、端末２００のレシーバ３０１は、よく知られている方法でメッセージを受信し、このメッセージをプロセッサ３０２に送る。
【００３０】
タスク５２０では、プロセッサ３０２は、着信メッセージを受信した直後に、よく知られている方法でどの楽曲（すなわち、呼出し音を構成すること）、どの画像、およびどのテキストを使用してユーザに通知するかを決定する。一部の実施形態では、端末２００は、すべての着信メッセージについて特定の楽曲を、または発呼者のカテゴリに関連する楽曲を、あるいは個々の発呼者に関連する楽曲を再生することなどもある。同様に、一部実施形態においては、端末２００は、着信メッセージが到着すると、テキスト・メッセージと画像のうちの一方または両方を決定してユーザに通知するために表示することもできる。当業者には理解されるように、一部実施形態では、端末２００は、ユーザによって設定される好み、バッテリ電力、ディスプレイ２１１の機能などに基づいて１つまたは複数の呼出し音、画像、およびテキストを出力しないこともある。
【００３１】
タスク５３０では、プロセッサ３０２は、以下で図６に関して詳細に説明するように１つまたは複数の呼出しログに基づいてタスク５２０で選択された楽曲についての１つまたは複数の特性値を決定する。
【００３２】
プロセッサ３０２は、本発明の例示の実施形態に従って呼出しログ４００中の関連情報を検索する。一部の代替実施形態では、プロセッサ３０２は、タスク５１０で説明した現在の着信メッセージの発呼者を含む呼出しログ・エントリ（すなわち、着信ログ・エントリ、発信ログ・エントリ、および受信し損ねたログ・エントリ）だけを調べる。他の一部の代替実施形態では、プロセッサ３０２は、現在の着信メッセージの発呼者を含む着信ログ・エントリおよび受信し損ねたログ・エントリだけを調べる。
【００３３】
プロセッサ３０２は、以前の時刻（例えば、電話サービスの初期化時、作業日の始めにおけるコンピュータの起動時など）に行われたユーザ入力に基づいて呼出しログ４００中の関連情報を検索する。このユーザ、この場合には端末２００の実際のユーザまたは端末２００の管理者（例えば、情報技術［または「ＩＴ」］者など）は、ある種の条件下で変化する出力通知信号（例えば、楽曲など）の特性（例えば、音量など）を指定している。このユーザは、特性値を変更すべき条件も指定している。プロセッサ３０２が検索する関連情報は、以前に行われたユーザ入力で指定された条件に依存する。
【００３４】
例えば、ユーザ入力で指定される条件が、同じ日に呼出しを受信した回数が５回を超えるかどうかである場合には、プロセッサ３０２は、その同じ日からの呼出しについての着信呼出しログおよび受信し損ねた呼出しログだけを探索する。出力通知信号についての指定された特性が音量である場合には、プロセッサ３０２は、その呼出し音の音量を１回ないし５回までの呼出しについてはソフトにし、５回を超える呼出しについては大きくする。
【００３５】
任意選択で、プロセッサ３０２は、着信メッセージの１つまたは複数の属性に１つまたは複数の特性の決定を基づかせることもある。例えば、プロセッサ３０２は、着信メッセージの一部となる発呼者の識別子を調べる。この例では、プロセッサ３０２は、Ｓｕｓａｎ  Ｊｏｎｅｓなど特定の発呼者からのすべての呼出しを他の発呼者からの呼出しとは異なる方法で取り扱うようにユーザによって構成される。Ｓｕｓａｎ  Ｊｏｎｅｓに関連する「Ｍａｒｙ  Ｈａｄ  ａ  Ｌｉｔｔｌｅ  Ｌａｍｂ」の曲に対する楽曲は、彼女の発呼者識別子に基づいて彼女の呼出しのすべてについて大きな音で再生することができる。
【００３６】
さらに、Ｓｕｓａｎ  Ｊｏｎｅｓからのその日の最初の呼出しを通知する楽曲は、大きな音で、ただし速く再生することができるが、Ｓｕｓａｎ  Ｊｏｎｅｓからのその日の他のすべての呼出しを通知する楽曲は、大きな音で、ただしゆっくりと再生することができる。この例では、楽曲の音量は、着信メッセージの属性によって決定されるが、楽曲のテンポは呼出しログ４００からの情報によって決定される。音量およびテンポは、本明細書中で後で説明する特性である。
【００３７】
タスク５４０では、プロセッサ３０２は、以下で図７に関して詳細に説明するように、１つまたは複数の呼出しログに基づいてタスク５２０で選択された画像についての１つまたは複数の特性値を決定する。プロセッサ３０２は、タスク５３０について説明しているように本発明の例示の実施形態に従って呼出しログ４００中の関連情報を検索する。
【００３８】
任意選択で、プロセッサ３０２は、タスク５３０について説明しているように着信メッセージの属性に基づいてこの画像についての１つまたは複数の特性値も決定する。
【００３９】
タスク５５０では、プロセッサ３０２は、以下で図８に関して詳細に説明するように、１つまたは複数の呼出しログに基づいてタスク５２０で選択されたテキストについての１つまたは複数の特性値を決定する。プロセッサ３０２は、タスク５３０について説明しているように本発明の例示の実施形態に従って呼出しログ４００中の関連情報を検索する。
【００４０】
任意選択で、プロセッサ３０２は、タスク５３０で説明しているように着信メッセージの属性に基づいてこのテキストについての１つまたは複数の特性値も決定する。
【００４１】
タスク５６０では、プロセッサ３０２は、（ｉ）スピーカ２１０に信号を送ってタスク５２０で選択される楽曲をタスク５３０で決定される特性値に従って再生し、（ｉｉ）ディスプレイ２１１に信号を送ってタスク５２０の画像およびテキストをそれぞれタスク５４０および５５０で決定される特性値に従ってよく知られている方法で表示する。タスク５６０の後、図５の方法は終了する。
【００４２】
図６は、本発明の例示の実施形態によるタスク５３０の詳細なフローチャートを示している。図６に示すどのタスクを同時に実施することができ、また図に示すものと異なる順序で実施することができるかが、当業者には明らかになろう。
【００４３】
タスク５３０の一部として、１つまたは複数の呼出しログに基づいて、端末２００は、本発明の例示の実施形態に従って、タスク５２０で決定される楽曲の１つまたは複数の特性値を決定する。しかし、この楽曲のそのメロディは、その選択された楽曲が有効であるかぎり変化しない。
【００４４】
例えば、歌「Ｍａｒｙ  Ｈａｄ  ａ  Ｌｉｔｔｌｅ  Ｌａｍｂ」が選択された楽曲である場合、ユーザに通知するためにこの歌の１つまたは複数の特性を変更することもできる。特性のこの変更により、この歌を、より大きくし鳴らし、異なるピッチで鳴らし、あるいはまるでこの歌の別のバージョンとは異なる楽器で演奏しているかのように鳴らすことができる。それにもかかわらず、そのメロディは同じままなので、端末２００のユーザは、依然としてこの歌を「Ｍａｒｙ  Ｈａｄ  ａ  Ｌｉｔｔｌｅ  Ｌａｍｂ」と認識できるはずということが特に重要である。
【００４５】
どの特性を考慮し、どの特性を考慮しないかをどのようにして選択すべきかが、当業者には明らかになろう。
【００４６】
タスク６１０では、プロセッサ３０２は、その関連する呼出しログ・エントリに基づいて楽曲の音量を決定する。この用語「音量」とは、音の振幅または大きさのことを言う。例えば、Ｌｉｚ  Ｂｒｏｗｎが、呼出しログに示されるように、ある日、数回呼出しを行い、またはインスタント・メッセージを送り、彼女の連絡を取ろうとする試みがすべて失敗して（または、応答が得られずに）終わる場合には、彼女からの現在の着信メッセージのユーザ通知に適用される音量は、彼女が以前に呼び出したときに使用された音量よりも大きく（またはソフトに）なる。
【００４７】
タスク６２０では、プロセッサ３０２は、その関連する呼出しログ・エントリに基づいて楽曲のテンポを決定する。この用語「テンポ」とは、音楽を再生する相対的速度のことを言う。例えば、呼出しログ４００に示されるようにＢａｒｂ  Ｓｍｉｔｈが呼出しを行うとき、この場合に彼女からの現在の着信メッセージのユーザ通知に適用されるテンポは、同じ日の彼女からの以前の着信呼出しまたは他のタイプの連絡を取ろうとする試み（例えば、ＳＭＳメッセージなど）を示すのに使用されたテンポよりも速く（または遅く）なる。
【００４８】
タスク６３０では、プロセッサ３０２は、その関連する呼出しログ・エントリに基づいて楽曲のピッチを決定する。この用語「ピッチ」とは、この特性によって決定されるような、音楽的な音域内のトーンの相対的位置のことを言う。例えば、高い（低い）ピッチを使用して所与の発信者からのその日の最初の呼出しを示し、この場合には、Ｌｉｚ  Ｂｒｏｗｎからの最初の呼出しは、高いピッチの通知で示されるが、Ｌｉｚ  Ｂｒｏｗｎからの２番目の呼出し（および他の任意の呼出し）は、低いピッチの通知で示される。
【００４９】
別の例としては、同じ日に、２１２の市外局番の誰かに対して行われた発信メッセージが先行する場合には、２１２の市外局番から行われる呼出しはどれも高い（低い）ピッチを使用して示す。
【００５０】
タスク６４０では、プロセッサ３０２は、その関連する呼出しログ・エントリに基づいて楽曲の音色（ｔｉｍｂｒｅ）を決定する。この用語「音色」とは、その音を同じピッチと音量の他の音と区別する、音の品質のことを言う。音色を変更する一例には、演奏する楽器の変更がある。例えば、端末２００のユーザが電話呼出しの間にしばらく仕事をすることができるようにするため、最後に応答した着信メッセージ後の１時間以内に受信するすべての着信メッセージについてフルートの音色に似た音色を使用する。次いで、その時間の経過後の次の着信メッセージについては、トランペットの音色に似た音色を使用する。
【００５１】
タスク６５０では、プロセッサ３０２は、その関連する呼出しログ・エントリに基づいて楽曲の追加の特性（例えば、リズムなど）を決定する。
【００５２】
タスク６６０では、端末２００は、楽曲およびタスク６１０〜６５０の特性に基づく出力通知信号を生成する。所与の楽曲では、端末２００は、よく知られている方法で、また例示の実施形態に従って、メロディおよび決定済みの特性を付与された出力通知信号を合成する。一部の代替実施形態では、端末２００は、よく知られている方法でその楽曲についての１組のあらかじめ記憶された波形（例えば、ソフトなフルートの波形、大きなトランペットの波形など）から、その決定済みの特性に基づいて出力通知信号を選択する。ここでは、各波形は、特性の異なる組合せを示している。
【００５３】
一部の代替実施形態では、この音響出力通知信号はまた、呼出しログ４００に基づいたスピーチ・メッセージに基づいてもいる。例えば、端末２００は、「これは、この発呼者からの本日、５回目の呼出しです」、「あなたは、この発呼者と２日前に話しました」、または「この発呼者は、３回目の呼出し中ですが、あなたはそれらの呼出しにまだ応答していません」のような通知メッセージを生成する。本明細書を読んだ後には、どのようにして通知メッセージを指定された状態に関連づけるべきかが、当業者には明らかになろう。また、スピーチ通知メッセージをどのようにして再生すべきかが、当業者には明らかになろう。
【００５４】
図７は、本発明の例示の実施形態によるタスク５４０の詳細なフローチャートを示している。図７に示すどのタスクを同時に実施でき、また図に示す順序と異なる順序で実施できるかが、当業者には明らかになろう。
【００５５】
タスク５４０の一部として、また１つまたは複数の呼出しログに基づいて、端末２００は、本発明の例示の実施形態に従って、画像の１つまたは複数の視覚特性値を決定する。しかし、ユーザがこの画像パターンを認識できることは、この画像が有効な限り変わらない。
【００５６】
例えば、気球の写真が選択された画像である場合には、このユーザに通知するためにこの気球の写真の１つまたは複数の視覚特性を変更することができる。特性の変更により、この気球の別の画像に比べて、この気球は、より大きく、異なるカラーに、解像度が低く見えるようになる。それにもかかわらず、この写真の認識可能なパターンが同じままなので、ユーザには、依然としてこの写真がビーチではなくて気球の写真であると認識できることが特に重要である。
【００５７】
どの視覚特性を考慮し、また考慮しないかをどのようにして選択すべきかが、当業者には明らかになろう。
【００５８】
タスク７１０では、プロセッサ３０２は、その関連する呼出しログ・エントリに基づいて、画像のサイズを決定する。例えば、所与の日付の所与の人からの各着信メッセージごとに、この選択された画像中のオブジェクトのサイズを以前よりも少し大きく（または小さく）する。図６に示すタスクについて提供される呼出しログの例は、タスク７１０にも適用される。
【００５９】
タスク７２０では、プロセッサ３０２は、その関連する呼出しログ・エントリに基づいて、画像の明度、または「明るさ」を決定する。図６に示すタスクについて提供される呼出しログの例は、呼出しログ４００中の情報に応じて着信メッセージごとに明度が高められる（または低下される）という点で、タスク７２０にも適用される。
【００６０】
タスク７３０では、プロセッサ３０２は、その関連する呼出しログ・エントリに基づいて、画像のコントラストを決定する。この用語「コントラスト」とは、画像の明るい区域と暗い区域の間の輝度の差のことを言う。図６に示すタスクについて提供される例は、呼出しログ４００中の情報に応じて着信メッセージごとにコントラストが高められる（または低下される）という点で、タスク７３０にも適用される。
【００６１】
タスク７４０では、プロセッサ３０２は、その関連する呼出しログ・エントリに基づいて、画像の解像度（ｒｅｓｏｌｕｔｉｏｎ）を決定する。この用語「解像度」とは、画像中で区別できる詳細さについての精細度のことを言う。図６に示すタスクについて提供される呼出しログの例は、呼出しログ４００中の情報に応じて着信メッセージごとに解像度が高められる（または低下される）という点で、タスク７４０にも適用される。
【００６２】
タスク７５０では、プロセッサ３０２は、その関連する呼出しログ・エントリに基づいて、画像の追加の特性（例えば、色相、彩度など）を決定する。
【００６３】
タスク７６０では、端末２００は、画像およびタスク７１０〜７５０の画像特性に基づく出力通知信号を生成する。所与の画像では、端末２００は、よく知られている方法で、また例示の実施形態に従って、特定のユーザ認識可能な画像および決定済みの特性を与えられた視覚信号を合成する。一部の代替実施形態では、端末２００は、よく知られている方法でこの画像についての１組のあらかじめ記憶されたシーン（例えば、高精細の大きな気球、低精細の小さな気球など）からこの決定済みの特性に基づいた出力通知信号を選択する。ここで、各シーンは、特性の異なる組合せを示している。
【００６４】
図８は、本発明の例示の実施形態によるタスク５５０の詳細なフローチャートを示している。図８に示すどのタスクを同時に実施することができ、また図に示す順序とは異なる順序で実施することができるかが、当業者には明らかになろう。
【００６５】
端末２００は、この出力通知信号の一部としてテキストを表示し、ここで、この通知するテキストの意味内容（すなわち、このテキストによって伝えられる意味）は、この例示の実施形態による呼出しログ４００から独立しているが、必ずしも着信メッセージから独立している訳ではない。例えば、着信呼出しがＬｉｚ  Ｂｒｏｗｎからである場合、端末２００は、「着信呼出し（Ｉｎｃｏｍｉｎｇ  Ｃａｌｌ）」、「Ｌｉｚ  Ｂｒｏｗｎからの着信呼出し（Ｉｎｃｏｍｉｎｇ  Ｃａｌｌ  ｆｒｏｍ  Ｌｉｚ  Ｂｒｏｗｎ）」、または「７３２−５５５−６５４４からの着信呼出し（Ｉｎｃｏｍｉｎｇ  Ｃａｌｌ  ｆｒｏｍ  ７３２−５５５−６５４４）」を表示することもある。通知テキスト・メッセージをどのようにして作成すべきかが、当業者には明らかになろう。
【００６６】
タスク５５０を構成するアクション中で、プロセッサ３０２は、そのユーザに通知するために使用されるテキストの１つまたは複数の視覚特性を決定する。どの視覚特性を考慮し、どの視覚特性を考慮しないかをどのようにして選択すべきかが、当業者には明らかになろう。
【００６７】
タスク８１０では、プロセッサ３０２は、その関連する呼出しログ・エントリに基づいて、テキストのフォント・タイプ（例えば、Ａｒｉａｌ、Ｔｉｍｅｓ−Ｒｏｍａｎ，Ｖｅｒｄａｎａなど）を決定する。図６に示すタスクについて提供される呼出しログの例は、端末２００が、呼出しログ４００中の情報に基づいて、例えば一部の着信メッセージについてはＴｉｍｅｓ−Ｒｏｍａｎフォントで、他の一部の着信メッセージについてはＶｅｒｄａｎａフォントでそのテキスト・メッセージを表示することができるという点で、タスク８１０にも適用される。
【００６８】
タスク８２０では、プロセッサ３０２は、その関連する呼出しログ・エントリに基づいて、テキストのフォント・スタイル（例えば、レギュラ、ボールド、イタリックなど）を決定する。図６に示すタスクについて提供される呼出しログの例は、端末２００が、呼出しログ４００中の情報に基づいて、例えば一部の着信メッセージについてはレギュラ・フォントで、他の一部の着信メッセージについてはボールド・フォントでそのテキスト・メッセージを表示することができるという点で、タスク８２０にも適用される。
【００６９】
タスク８３０では、プロセッサ３０２は、その関連する呼出しログ・エントリに基づいて、テキストのフォント・サイズ（例えば、８−ポイント、１４−ポイントなど）を決定する。図６に示すタスクについて提供される例は、端末２００が、呼出しログ４００中の情報に基づいて、例えば一部の着信メッセージについては１０−ポイントで、他の一部の着信メッセージについては１８−ポイントでそのテキスト・メッセージを表示することができるという点で、タスク８３０にも適用される。
【００７０】
タスク８４０では、プロセッサ３０２は、その関連する呼出しログ・エントリに基づいて、テキストのカラー（例えば、赤、黄、緑、黒など）を決定する。図６に示すタスクについて提供される呼出しログの例は、タスク８４０にも適用される。例えば、端末２００は、呼出しログ４００中の情報に基づいて、（当日中に、１０回を超えて呼出しを行っている発呼者からなど）一部の着信メッセージについては赤で、（当日中に、５回未満しか呼出しを行っていない発呼者からなど）他の一部の着信メッセージについては緑でそのテキスト・メッセージを表示することができる。
【００７１】
タスク８５０では、プロセッサ３０２は、その関連する呼出しログ・エントリに基づいて、テキストの追加の特性（例えば、補助的な記号、句読点の選択など）を決定する。
【００７２】
タスク８６０では、端末２００は、このテキスト内容およびタスク８１０〜８５０の特性に基づいた出力通知信号を生成する。端末２００は、よく知られている方法で、また例示の実施形態に従ってこの視覚信号を合成する。
【００７３】
本発明の一部実施形態では、端末２００は、呼出しログ４００に基づいて表示すべき特定の通知テキストの意味内容を決定することができる。例えば、端末２００は、着信呼出しがＬｉｚ  Ｂｒｏｗｎからのものであることを判断し、Ｌｉｚ  Ｂｒｏｗｎが何回呼出しを行っているかを調べ、「これは、本日のこの発呼者からの５回目の呼出しです」という通知テキスト・メッセージを形成する。一部実施形態では、その発信者の名前（例えば、Ｌｉｚ  Ｂｒｏｗｎなど）が、この通知テキストに含まれる。他の例としては、端末２００は、共に呼出しログ４００に基づいた通知テキスト・メッセージ「あなたは、この発呼者に２日前にインスタント・メッセージを送りました」またはメッセージ「この発呼者は、３回目の呼出し中ですが、あなたはそれらの呼出しにまだ応答していません」を形成する。本明細書を読んだ後には、呼出しログ４００に基づいて表示すべき特定の通知テキストの意味内容をどのようにして決定すべきかが、当業者には明らかになろう。
【００７４】
前述の実施形態は、本発明の単なる例証にすぎず、当業者なら本発明の範囲を逸脱することなく前述の実施形態の多数の変形形態を考え出すことができることを理解されたい。例えば、本明細書中には、本発明の十分な説明および例示の実施形態の理解を提供するために多数の特定の細部が提供されている。しかし、本発明は、１つまたは複数のこれらの細部なしに、あるいは他の方法、材料、構成要素などを用いて実施することができることが、当業者には理解されよう。
【００７５】
さらに、ある例では、よく知られている構造、材料、または動作を示さないで、または詳細に説明しないで、それによって例示の実施形態の態様を曖昧にするのを回避している。図に示す様々な実施形態は、例示的なものであり、必ずしもスケールして示す必要はないことが理解されよう。明細書を通しての「一実施形態（ｏｎｅ  ｅｍｂｏｄｉｍｅｎｔ）」、「一実施形態（ａｎ  ｅｍｂｏｄｉｍｅｎｔ）」または「一部の（ｓｏｍｅ  ｅｍｂｏｄｉｍｅｎｔｓ）実施形態」に対する言及は、実施形態に関連して説明した特定の機能、構造、材料、または特徴が、本発明の少なくとも一実施形態中には含まれるが、必ずしもすべての実施形態には含まれる訳ではないことを意味している。したがって、本明細書を通して様々な箇所に、用語「一実施形態（ｏｎｅ  ｅｍｂｏｄｉｍｅｎｔ）において」、「一実施形態（ａｎ  ｅｍｂｏｄｉｍｅｎｔ）において」または「一部の（ｓｏｍｅ  ｅｍｂｏｄｉｍｅｎｔｓ）実施形態において」が現れるのは、必ずしもすべてが同じ実施形態のことを言及している訳ではない。さらに、特定の機能、構造、材料、または特徴を１つまたは複数の実施形態中で適切な任意の方法で組み合わせることもできる。したがって、かかる変形形態は、添付の特許請求の範囲およびそれらの等価物の範囲内に含まれることを意図している。
【図面の簡単な説明】
【００７６】
【図１】従来技術における遠隔通信端末１００を示す図である。
【図２】本発明の例示の実施形態による遠隔通信端末２００を示す図である。
【図３】本発明の例示の実施形態による遠隔通信端末２００の主要な構成要素のブロック図を示す。
【図４】本発明の例示の実施形態による、呼出しログ４００中の情報の例示の構成を示す図である。
【図５】本発明の例示の実施形態による、着信メッセージを受信したすぐ後の遠隔通信端末２００の主要なタスクを示すフローチャートである。
【図６】本発明の例示の実施形態による、図５に示すタスク５３０の詳細なフローチャートである。
【図７】本発明の例示の実施形態による、図５に示すタスク５４０の詳細なフローチャートである。
【図８】本発明の例示の実施形態による、図５に示すタスク５５０の詳細なフローチャートである。
【図１】
2006020268.tif 000003
【図２】
2006020268.tif 000004
【図３】
2006020268.tif 000005
【図４】
2006020268.tif 000006
【図５】
2006020268.tif 000007
【図６】
2006020268.tif 000008
【図７】
2006020268.tif 000009
【図８】
2006020268.tif 000010